(57)【要約】本発明は、男性用パンツの着用時、自然に着用者の陰茎が前記軟質陰茎分離具の弧形溝内部に収容されて陰茎と陰嚢とをお互いに分離させることができるようにし、これによって、陰茎と陰嚢との間で接触部に湿り気が満ちることと、悪いにおいが発生することをあらかじめ防止し、運動時や長期間座っている場合にも、陰茎が移動することと前記陰茎が両太ももの内側の間に挟まることとを防止することができ；前記軟質の陰茎分離具は、多数の通気孔を具備して、前記軟質の陰茎分離具の内部が円滑に通気することができるようにして、いつも清潔を維持することができる男性用パンツに関するものである。前記男性用パンツは、パンツ本体１００前面の内側に裁縫によって附着する軟質の陰茎分離具130と；前記パンツ本体１００の内側に形成され、内部に陰茎が挿入されて包まれるための弧形溝110と；前記弧形溝110の両側に形成され、前記パンツ本体１００内に挿入されるための二つの断差部120と；前記軟質の陰茎分離具130の上側及び下側に形成され、前記パンツ100の着用時、陰茎の収納を誘導するための開放部140とを含んで構成される。ここで、前記パンツ本体１００の上側バンド部102と裁縫によって一体に結合固定するための延長部150がおのおのの断差部120の上側部に延長する。【選択図】図３
2010504443.tif 000002
【特許請求の範囲】
【請求項１】
前記パンツ本体１００の内側に形成され、内部に陰茎が挿入されて包まれるための弧形溝110と；
前記弧形溝110の両側に形成され、前記パンツ本体１００内に固定するための二つの断差部120と；
前記軟質の陰茎分離具130の上側及び下側に形成され、前記パンツ100の着用時、陰茎の収納を誘導するための開放部140とを含んで構成されることを特徴とする男性用パンツ。
【請求項２】
前記パンツ本体１００の上側バンド部102と裁縫によって一体に結合固定するための延長部150がおのおのの断差部120の上側部に延長されることを特徴とする請求項1に記載の男性用パンツ。
【請求項３】
前記軟質の陰茎分離具130はその材質がウレタン、シリコーン、スポンジの中でいずれか一つであることを特徴とする請求項1または2に記載の男性用パンツ。
【請求項４】
多数の通気孔160が前記軟質の陰茎分離具130の前記弧形溝110の周面に形成され、いつも清潔を維持することを特徴とする請求項1または2に記載の男性用パンツ。
【請求項５】
男性用パンツの表面201とライニング202との間の前面内側に裁縫によって一体に附着する軟質の陰茎分離具230と；
縦長方向に形成され、内部に陰茎が挿入されて包まれるための弧形溝210と；
前記弧形溝210の下側部に形成され、パンツの着用時、陰茎の収納を誘導する下側開放部220と；
前記軟質の陰茎分離具230に形成された多数の通気孔240と；
前記軟質の陰茎分離具230の前後面に固定されたメッシュ250と；
前記軟質の陰茎分離具２３０の外周に裁縫によって固定される前記軟質の陰茎分離具２３０の破損を防止する保護台２６０とを含んで構成されることを特徴とする男性用パンツ。
【請求項６】
前記メッシュ250が形成された前記軟質の陰茎分離具230の外周には、 前記軟質の陰茎分離具230の破損を防止するための保護台260が固定されることを特徴とする請求項１に記載の男性用パンツ。
【請求項７】
前記軟質の陰茎分離具230の内部に収納される前記着用者の陰茎を支持するための弾性陰茎支持片270が、前記ライニング202に固定された弧形溝210の中間部位に沿って横に形成され、前記弾性陰茎支持片270の両端部が裁縫によって固定されることを特徴とする請求項１に記載の男性用パンツ。
【請求項８】
前記下側開放部220とともに上側開放部220’が、 前記軟質の陰茎分離具230内に前記陰茎が収納される弧形溝210の上側に形成されることを特徴とする請求項１に記載の男性用パンツ。
【発明の詳細な説明】
【技術分野】
【０００１】
本発明はパンツの本体前面の内側に軟質の陰茎分離具が附着して、着用者の陰茎と陰嚢とをお互いに分離させて湿り気が満ちることをあらかじめ防止させることができる男性用パンツに関するものであり、より詳細には、男性用パンツの表面とライニング間の前面内側に、着用者の陰茎が挿入されて包まれるための弧形溝を有する軟質の陰茎分離具が裁縫によって一体に形成され、前記陰茎分離具には多数の通気孔が形成され、前記陰茎分離具の両端部が裁縫によって固定するようになって、陰茎と陰嚢とをお互いに分離させるために着用者の陰茎を前記軟質の陰茎分離具内部に容易く挿入させることによって、陰茎と陰嚢との間で接触部に湿り気が満ちることと、悪いにおいが発生されることをあらかじめ防止させ； 着用者の陰茎がいつも前記軟質の陰茎分離具内部に収容されることによって、陰茎が垂れるか、または陰茎分離具がら離脱される現象を防止し、運動時や長期間座っている場合にも、陰茎が移動することと前記陰茎が両太ももの内側の間に挟まることとを防止することができ；メッシュ(mesh)を多数の通気孔が形成される陰茎分離具の全面及び後面に形成させ、その外周に保護台を固定させることによって、前記軟質の陰茎分離具内部で空気が滑らかに流通されることができ、前記軟質の陰茎分離具の周縁部破損を防止させることができる男性用パンツに関するものである。
【背景技術】
【０００２】
一般的に、男性が着するパンツの場合、 着用者が運動をするか、または長期間座っている時、陰茎が移動して太ももの内側と摩擦を起こすか、または陰茎と陰嚢がお互いに密着して、湿り気が発生し、血液循環を悪くするようになる。
【０００３】
最近、前記の問題点を改善させるために、陰茎を上方に挿入するための陰茎出口を有するポケット布を裁縫によりパンツの内部に形成し、前記ポケット布に圧縮バンドを横に形成して、パンツの着用時、着用者の陰茎と陰嚢が前記圧縮バンドによってお互いに分離されることによって、陰茎が着用者の下腹部に向けることができるようになる男性用パンツが韓国登録実用新案第 20-0248175号に示している。
【０００４】
図1及び図2に図示されたように、従来のパンツ1は、その前面に陰茎を露出させるための陰茎出口2が横方向に形成され、陰茎の露出領域をパンツ1の上側または下側に区分するための上下部ポケット3a、3bを陰茎出口2の前面に裁縫により固定し、陰茎をパンツ1から取り出すためのギャップ4を前記陰茎出口2を横切るポケット布3の両側に形成し、陰茎と陰嚢との境界地点を支持するための圧縮バンド5を前記陰茎出口2及びギャップ4の前面上で前記ポケット布3に横方向に形成される。
【０００５】
したがって、着用者の陰茎と陰嚢がパンツ1の内側で区分され、着用者の陰茎が立てられる状態で下腹部に向く。また、着用者の陰茎と陰嚢が前記圧縮バンド5によってお互いに分離されることによって、 前記陰茎が太ももの内側部位へ傾くことを防止することができる。
【０００６】
しかし、着用者の陰茎が立てられる状態で下腹部に向けるように、ポケット布3をパンツ1の内部に形成する時、分離された前記ポケット布の上,下部ポケット3a、3bと圧縮バンド5をケット布3に形成しなければならないから、パンツ1の製作が難しい。また、着用者が手で陰茎をポケット布3の上方へ入れなければならないという不便がある。
【０００７】
さらに、前記ポケット布3がパンツ1の内部で一字形態に位置するから、着用者が前記ポケット布を手で開けながら着用者の陰嚢をポケット布3内に挿入しなければならない。なお、前記ポケット布3に横方向に形成された圧縮バンド5が陰茎及び陰嚢を圧縮することができる。したがって、パンツの着用が非常に不便になるという問題点がある。
【発明の概要】
【発明が解決しようとする課題】
【０００８】
したがって、本発明の目的は、パンツの本体前面の内側に軟質の陰茎分離具が裁縫等によって附着して、男性用パンツの着用時、自然に着用者の陰茎が前記陰茎分離具の弧形溝内部に収容されて陰茎と陰嚢とをお互いに分離させることができるようにし、これによって、陰茎と陰嚢との間で接触部に湿り気が満ちることと、悪いにおいが発生することをあらかじめ防止し、運動時や長期間座っている場合にも、陰茎が移動することと前記陰茎が両太ももの内側の間に挟まることとを防止することができ；前記軟質の陰茎分離具は、多数の通気孔を具備して、前記軟質の陰茎分離具の内部が円滑に通気されることができるようにして、いつも清潔を維持することができる。
【０００９】
本発明の他の目的は、前記軟質の陰茎分離具は、ライニングに固定された弧形溝の中間部位に沿って横に形成され、前記軟質の陰茎分離具内部に収納される着用者の陰茎を支持するための支持片をさらに具備して、着用者の陰茎がいつも前記軟質の陰茎分離具内部に収容されることによって、陰茎が垂れるか、または陰茎分離具から離脱する現象を防止し、運動時や長期間座っている場合にも、陰茎が移動することと前記陰茎が両太ももの内側の間に挟まることとを防止することができ；メッシュを多数の通気孔が形成される陰茎分離具の前面及び後面に形成し、その外周に保護台を固定することによって、前記軟質の陰茎分離具内部で空気が滑らかに流通されることができ、前記軟質の陰茎分離具の周縁部破損を防止することができる。
【課題を解決するための手段】
【００１０】
前記目的等を果たすための本発明の男性用パンツは、パンツの本体前面の内側に裁縫によって附着する軟質の陰茎分離具と；前記パンツの本体の内側に形成され、内部に陰茎が挿入されて包まれるための弧形溝と；前記弧形溝の両側に形成され、前記パンツの本体内に固定するための二つの断差部と；前記軟質の陰茎分離具の上側及び下側に形成され、前記パンツの着用時、陰茎の収納を誘導するための開放部1とを含んで構成されることを特徴とする。
【００１１】
望ましくは、前記パンツの本体の上側バンド部と裁縫によって一体に結合固定するための延長部がおのおのの断差部の上側部に延長され、多数の通気孔が前記軟質の陰茎分離具の前記弧形溝の周面に形成されていつも清潔を維持する。
【００１２】
前記目的等を果たすための本発明の他の男性用パンツは、その表面とライニング の間の前面内側に裁縫によって一体に附着する軟質の陰茎分離具と；縦長方向に形成され、内部に陰茎が挿入されて包まれるための弧形溝と；前記弧形溝の下側部に形成され、パンツの着用時、陰茎の収納を誘導する開放部と；前記軟質の陰茎分離具に形成された多数の通気孔と；前記軟質の陰茎分離具の前後面に固定されたメッシュと；前記軟質の陰茎分離具の外周には、前記軟質の陰茎分離具の破損を防止するように、裁縫によって固定された保護台とを含んで構成されることを特徴とする。
【００１３】
望ましくは、前記メッシュが形成された前記軟質の陰茎分離具の外周には、 前記軟質の陰茎分離具の破損を防止するための保護台が固定される。 
【００１４】
望ましくは、前記軟質の陰茎分離具の内部に収納される陰茎を支持するための弾性陰茎支持片が、ライニングに固定された弧形溝の中間部位に沿って横に形成され、前記弾性陰茎支持片の両端部が裁縫によって固定される。
【００１５】
望ましくは、前記下側開放部とともに上側開放部が、前記軟質の陰茎分離具内に前記陰茎が収納される弧形溝の上側に形成される。
【発明の効果】
【００１６】
前記のような男性用パンツによれば、男性用パンツの着用時、自然に着用者の陰茎が前記陰茎分離具の弧形溝内部に収容されて陰茎と陰嚢とをお互いに分離させることができるようにし、これによって、陰茎と陰嚢との間で接触部に湿り気が満ちることと、悪いにおいが発生されることをあらかじめ防止し、運動時や長期間座っている場合にも、陰茎が移動することと前記陰茎が両太ももの内側の間に挟まることとを防止することができ；前記軟質の陰茎分離具は、多数の通気孔を具備して、前記軟質の陰茎分離具の内部が円滑に通気されることができるようにして、いつも清潔を維持することができる。
【００１７】
また、前記軟質の陰茎分離具は、ライニングに固定された弧形溝の中間部位に沿って横に形成され、前記軟質の陰茎分離具内部に収納される着用者の陰茎を支持するための支持片をさらに具備して、着用者の陰茎がいつも前記軟質の陰茎分離具内部に収容されることによって、陰茎が垂れるか、または陰茎分離具がら離脱する現象を防止し、運動時や長期間座っている場合にも、陰茎が移動することと前記陰茎が両太ももの内側の間に挟まることとを防止することができ；メッシュを多数の通気孔が形成される陰茎分離具の全面及び後面に形成させ、その外周に保護台を固定させることによって、前記軟質の陰茎分離具内部で空気が滑らかに流通することができ、前記軟質の陰茎分離具の周縁部破損を防止することができる。
【図面の簡単な説明】
【００１８】
【図１】従来の男性用パンツの分解斜視図である。
【図２】図1の正面図である。
【図３】本発明の第1実施例による男性用パンツの概略的な分解斜視図である。
【図４】本発明の第1実施例による男性用パンツ内側に形成された陰茎分離具の概略的な斜視図である。
【図５】本発明の第1実施例による男性用パンツ内側に形成された陰茎分離具にパンツのバンドと結合のための延長部の概略的な斜視図である。
【図６】本発明の第2実施例による男性用パンツ内側に形成された陰茎分離具の概略的な斜視図である。
【図７】本発明の第3実施例による男性用パンツの概略的な分解斜視図である。
【図８】本発明の第3実施例による男性用パンツの表面とライニングとの間の中央内側に形成された陰茎分離具の概略的な一部斜視図である。
【図９】図7による陰茎分離具に設置された陰茎支持片の設置状態を現わす正面斜視図である。
【図１０】図7による陰茎分離具の概略的な斜視図である。
【図１１】本発明の第4実施例による男性用パンツの内側に形成された陰茎分離具の概略的な斜視図である。
【発明を実施するための形態】
【００１９】
以下、本発明による望ましい実試例を詳細に説明する。 
【００２０】
図3は本発明による男性用パンツの概略的な分解斜視図であり、図4は本発明による男性用パンツ内側に形成された陰茎分離具の概略的な斜視図である。
【００２１】
図3及び図4に図示されたように、本発明による男性用パンツ100は、前記パンツ本体１００前面の内側に裁縫等によって附着する軟質の陰茎分離具130を包含する。前記軟質の陰茎分離具130は、前記パンツ本体１００の内側に形成され、内部に陰茎が挿入されて包まれるための弧形溝110と、前記弧形溝110の両側に形成され、 前記パンツ本体１００内に固定するための二つの断差部120とを包含する。
【００２２】
また、前記軟質の陰茎分離具130は、その上側及び下側に形成され、前記パンツ100の着用時、陰茎の収納を誘導するための開放部140をさらに包含する。なお、図5に図示されたように、 前記軟質の陰茎分離具130は、おのおのの断差部120の上側部に延長され、前記パンツ本体１００の上側バンド部102と裁縫によって一体に結合固定するための延長部150をさらに包含する。
【００２３】
以下、本発明による男性用パンツの作用及び效果を詳細に説明する。 
【００２４】
図3ないし図5に図示されたように、軟質の陰茎分離具130が男性用パンツ100の前面内側に裁縫によって形成されることによって、男性用パンツの着用者は前記パンツ100を着用する簡単な動作によって陰茎が前記軟質の陰茎分離具130に簡便に収納され、前記軟質の陰茎分離具130から分離するようになる。
【００２５】
また、前記軟質の陰茎分離具130は、その内部に陰茎が挿入されて包まれるための弧形溝110が形成されることによって、パンツ100の着用時、陰茎が前記軟質の陰茎分離具130の弧形溝110内部に自然に収納されることができるようになる。ここで、前記軟質の陰茎分離具130の弧形溝110両側には二つの断差部120が形成されることによって、前記パンツ本体１００前面の内側に前記軟質の陰茎分離具130を裁縫等によって附着させることができるようになる。
【００２６】
前記軟質の陰茎分離具130は前記パンツ100の内側に前記裁縫によって固定させることは勿論、ボタンまたはマジックファスナー（登録商標）等のような多数の結合手段によって付着させることができる。
【００２７】
また、前記軟質の陰茎分離具130の上側及び下側には、パンツ100の着用時、陰茎の収納を誘導するための開放部140が形成されることによって、前記軟質の陰茎分離具130の開放部140によって陰茎と陰嚢が自動的に分離した後、前記陰茎が前記弧形溝110内部に収納されるようになる。
【００２８】
なお、図5に図示されたように、前記軟質の陰茎分離具130は、前記おのおのの断差部120の上側に延長される延長部150が具備されるので、前記パンツ本体１００の上側バンド部102と裁縫によって一体に結合固定されることができる。
【００２９】
一方、前記軟質の陰茎分離具130は、その材質が軟質ウレタン、シリコーンまたはスポンジ等であるので、着用感が優れ、陰茎を自然にくるんで保護するようにする。
【００３０】
図6は本発明の第2実施例による男性用パンツ内側に形成された陰茎分離具の概略的な斜視図である。 
【００３１】
図6に図示されたように、前記軟質の陰茎分離具130は、前記弧形溝110の周面に形成された多数の通気孔160をさらに具備して、前記軟質の陰茎分離具130の内部が円滑に通気されることができるようにして、いつも清潔を維持することができる。
【００３２】
一方、図7は本発明の第3実施例による男性用パンツの概略的な分解斜視図であり、図8は本発明の第3実施例による男性用パンツの表面とライニングとの間の中央内側に形成された陰茎分離具の概略的な一部斜視図であり、図9は図7による陰茎分離具に設置された陰茎支持片の設置状態を表す正面斜視図であり、図10は図7による陰茎分離具の概略的な斜視図である。
【００３３】
図示されたように、本発明の第3実施例による男性用パンツ200は、その表面201とライニング202との間の前面内側に裁縫等によって一体に附着する軟質の陰茎分離具230を包含する。前記軟質の陰茎分離具230は、縦長方向に形成され、内部に陰茎が挿入されて包まれるための弧形溝210と、前記弧形溝210の下側部に形成され、パンツの着用時、陰茎の収納を誘導する開放部220とを包含する。
【００３４】
また、前記軟質の陰茎分離具230は、前記弧形溝210の周面に形成された多数の通気孔240と、前記軟質の陰茎分離具230の前後面に固定されたメッシュ250と、その外周 には、前記軟質の陰茎分離具230の破損を防止するように、裁縫によって固定された保護台260とをさらに包含する。
【００３５】
なお、前記軟質の陰茎分離具230は、その内部に収納される陰茎を支持するように、前記ライニング202に固定された弧形溝210の中間部位に沿って横に形成される弾性陰茎支持片270をさらに包含し、前記弾性陰茎支持片270の両端部が裁縫によって固定される。
【００３６】
したがって、図7ないし図10に図示されたように、前記軟質の陰茎分離具230は、その表面201とライニング202との間で男性用パンツ200の前面内側に縦長方向に形成された弧形溝210と、前記弧形溝210の下側部に形成された開放部220とを包含することによって、男性用パンツの着用者は前記パンツ200を着用する簡単な動作によって前記開放部220 を通じて陰茎が前記軟質の陰茎分離具230に簡便に収納され、前記軟質の陰茎分離具230から分離するようになる。
【００３７】
特に、前記軟質の陰茎分離具230は、前記弧形溝210の周面に形成された多数の通気孔240と、前記軟質の陰茎分離具230の前後面に固定されたメッシュ250とをさらに具備することによって、前記軟質の陰茎分離具230内部で空気が滑らかに流通されることができ、陰茎と陰嚢との間で接触部に湿り気が満ちることをあらかじめ防止することができる。
【００３８】
また、軟質ウレタン、シリコーンまたはスポンジ等のような軟質材質で構成される前記軟質の陰茎分離具230は、その外周に裁縫によって固定された保護台260をさらに具備するので、前記軟質の陰茎分離具230の破損を防止することができる。
【００３９】
なお、前記軟質の陰茎分離具230は、前記ライニング202に固定された弧形溝210の中間部位に沿って横に形成される弾性陰茎支持片270をさらに包含し、前記弾性陰茎支持片270の両端部が裁縫によって固定されることによって、前記弧形溝210の内部に収納される陰茎が帯形象の弾性陰茎支持片270に支持するようになって、陰茎が垂れるか、または、前記軟質の陰茎分離具230から離脱される現象を防止することができる。さらに、運動時や長期間座っている場合にも、陰茎が移動することと前記陰茎が両太ももの内側の間に挟まることとを防止することができる。
【００４０】
図11は本発明の第4実施例による男性用パンツの内側に形成された陰茎分離具の概略的な斜視図である。 
【００４１】
図11に図示されたように、前記軟質の陰茎分離具230内に陰茎が容易く挿入されるように縦長方向に形成される弧形溝210の下側には開放部220を形成させ、その上側にも開放部220’を形成させることによって、前記上側及び下側開放部220’、220を通じて前記弧形溝210内部で空気が滑らかに流通されることができ、陰茎と陰嚢との間で接触部に湿り気が満ちることをあらかじめ防止することができる。
【産業上の利用可能性】
【００４２】
本発明はパンツの本体前面の内側に軟質の陰茎分離具が附着して、着用者の陰茎と陰嚢とをお互いに分離させて湿り気が満ちることをあらかじめ防止させることができる男性用パンツに関するものである。
【００４３】
以上で説明したことは、本発明によるパンツを実施するための一つの実施例に過ぎないことであり、本発明は前記一実施例に限定されずに、本発明の特許の請求範囲で請求するように本発明の要旨を抜け出すことがなく、当該発明が属する分野で通常の知識を有した者ならば誰でも多様な変更実施が可能な範囲まで本発明の技術的精神があるということができる。
【図１】
2010504443.tif 000003
【図２】
2010504443.tif 000004
【図３】
2010504443.tif 000005
【図４】
2010504443.tif 000006
【図５】
2010504443.tif 000007
【図６】
2010504443.tif 000008
【図７】
2010504443.tif 000009
【図８】
2010504443.tif 000010
【図９】
2010504443.tif 000011
【図１０】
2010504443.tif 000012
【図１１】
2010504443.tif 000013
【国際調査報告】
2010504443.tif 000014
2010504443.tif 000015